(57)【要約】【課題】複数の広告表示体を自動販売機に容易に取り付けることが可能な広告表示体保持具の提供。【解決手段】自動販売機１等に固定される固定部５と、固定部５に支持されて自動販売機１等の前面側に配置される基板部６と、下端が基板部６の下縁に支持されて基板部６の前面側に膨出した形状の透明な素材からなる前面表示板部７とを備え、一方の広告表示体２が前面表示部の内側に保持され、他方の広告表示体３の下側部が基板部６と前面表示部７との間に保持されるようにした広告表示体保持具４。【選択図】図４
2014032341.tif 000002
【特許請求の範囲】
【請求項１】
自動販売機等の広告対象体に広告表示体を取り付けるための広告表示体保持具であって、
前記広告対象体に固定される固定部と、該固定部に支持されて前記広告対象体の前面側に配置される平板状の基板部と、下端が前記基板部の下縁に支持されて前記基板部の前面側に膨出した形状の透明な素材からなる前面表示板部とを備え、一方の広告表示体が前記前面表示部の内側に保持され、他方の広告表示体の下部が前記基板部と前面表示部との間に保持されるようにしたことを特徴としてなる広告表示体保持具。
【請求項２】
前記一方の広告表示体は、前記他方の広告表示体の下縁に一体に支持され、該他方の広告表示体の前面側に配置されてなる請求項１に記載の広告表示体保持具。
【請求項３】
前記固定部は、前記基板部の上縁より背面側に張り出した板状に形成され、広告対象体の上面部に固着されるようにした請求項１又は２に記載の広告表示体保持具。
【請求項４】
前記前面表示部は、上端に支持されて前記基板部と互いに対向するように配置された押さえ部を備えた請求項１、２又は３に記載の広告表示体保持具。
【請求項５】
透明な合成樹脂材をもって一体成形されてなる請求項１〜３又は４に記載の広告表示体保持具。
【請求項６】
前記前面表示部の下端部に内外側を貫通した水抜き孔が形成された請求項１〜４又は５に記載の広告表示体保持具。
【発明の詳細な説明】
【技術分野】
【０００１】
本発明は、主に自動販売機に所謂ポップと呼ばれる広告表示体を取り付けるための広告表示体保持具に関する。
【背景技術】
【０００２】
従来、たばこや清涼飲料等の各種商品用の自動販売機においては、利用者の購買意欲を促進するためにその販売商品に関する商品名や価格等の広告を表示した所謂ポップ（Ｐｏｉｎｔ  Ｏｆ  Ｐｕｒｃｈａｓｅ  ａｄｖｅｒｔｉｓｉｎｇ：ＰＯＰ）と呼ばれる広告表示体が販売機外側に取り付けられている。
【０００３】
この広告表示体は、合成樹脂フィルム等によってシート状に形成され、それを自動販売機の前面扉上端前面部に粘着テープ等により固着させるようになっている（例えば、特許文献１を参照）。
【先行技術文献】
【特許文献】
【０００４】
【特許文献１】実用新案登録第３１２６６４４号公報
【発明の概要】
【発明が解決しようとする課題】
【０００５】
しかしながら、上述の如き従来の技術では、シート状の広告表示体を自動販売機の前面扉に粘着テープ等により固着させる構造のため、位置決め作業等の広告表示体の交換作業が煩雑であり、また、使用済みの広告表示体を剥がした際に粘着テープの粘着材が自動販売機に残存し、自動販売機の汚れの原因となるという問題があった。
【０００６】
そこで本発明は、このような従来の問題に鑑み、広告表示体を自動販売機に容易に取り付けることが可能な広告表示体保持具の提供を目的としてなされたものである。
【課題を解決するための手段】
【０００７】
上述の如き従来の問題を解決し、所期の目的を達成するための請求項1に記載の発明の特徴は、自動販売機等の広告対象体に広告表示体を取り付けるための広告表示体保持具において、前記広告対象体に固定される固定部と、該固定部に支持されて前記広告対象体の前面側に配置される平板状の基板部と、下端が前記基板部の下縁に支持されて前記基板部の前面側に膨出した形状の透明な素材からなる前面表示板部とを備え、一方の広告表示体が前記前面表示部の内側に保持され、他方の広告表示体の下部が前記基板部と前面表示部との間に保持されるようにしたことにある。
【０００８】
請求項２に記載の発明の特徴は、請求項１の構成に加え、前記一方の広告表示体は、前記他方の広告表示体の下縁に一体に支持され、該他方の広告表示体の前面側に配置されてなることにある。
【０００９】
請求項３に記載の発明の特徴は、請求項１又は２の構成に加え、前記固定部は、前記基板部の上縁より背面側に張り出した板状に形成され、前記広告対象体の上面部に固着されるようにしたことにある。
【００１０】
請求項４に記載の発明の特徴は、請求項１、２又は３の構成の加え、前記前面表示部は、上端に支持されて前記基板部と互いに対向するように配置された押さえ部を備えたことにある。
【００１１】
請求項５に記載の発明の特徴は、請求項１〜３又は４の構成に加え、透明な合成樹脂材をもって一体成形されてなることにある。
【００１２】
請求項６に記載の発明の特徴は、請求項１〜４又は５の構成に加え、前記前面表示部の下端部に内外側を貫通した水抜き孔が形成されたことにある。
【発明の効果】
【００１３】
本発明に係る広告表示体保持具は、上述したように、自動販売機等の広告対象体に広告表示体を取り付けるための広告表示体保持具であって、前記広告対象体に固定される固定部と、該固定部に支持されて前記広告対象体の前面側に配置される平板状の基板部と、下端が前記基板部の下縁に支持されて前記基板部の前面側に膨出した形状の透明な素材からなる前面表示板部とを備え、一方の広告表示体が前記前面表示部の内側に保持され、他方の広告表示体の下部が前記基板部と前面表示部との間に保持されるようにしたことにより、広告表示体を自動販売機等の広告対象体に対して粘着テープを用いずに容易に取り付けることができる。また、広告表示体を交換する際には、粘着テープの糊が残存することがないので自動販売機等の広告対象体の状態を綺麗に保つことができる。また、異なる２種類の広告表示体毎に交換することもできる。
【００１４】
本発明において、前記一方の広告表示体は、前記他方の広告表示体の下縁に一体に支持され、該他方の広告表示体の前面側に配置されてなることにより、一方の広告表示体が安定した状態で保持され、それに伴い他方の広告表示体も安定した状態で保持される。
【００１５】
また、本発明において、前記固定部は、前記基板部の上縁より背面側に張り出した板状に形成され、前記広告対象体の上面部に固着されるようにしたことにより、好適に自動販売機等の広告対象体に固定することができる。
【００１６】
更に本発明において、前記前面表示部は、上端に支持されて前記基板部と互いに対向するように配置された押さえ部を備えたことにより、一方の広告表示体を湾曲させた状態で好適に保持することができる。
【００１７】
更にまた、本発明において、透明な合成樹脂材をもって一体成形されてなることにより、安価に成形でき量産にも対応することができる。
【００１８】
また、本発明において、前記前面表示部の下端部に内外側を貫通した水抜き孔が形成されたことにより、屋外に設置された自動販売機等に取り付けられた際に、雨水が内部に滞留するのを防止することができる。
【図面の簡単な説明】
【００１９】
【図１】本発明に係る広告表示体保持具の使用状態の一例を示す斜視図である。
【図２】図１中の広告表示体及び広告表示体保持具を示す分解斜視図である。
【図３】同上の広告表示体保持具の拡大縦断面図である。
【図４】同上の広告表示体を取り付けた状態を示す拡大断面図である。
【図５】図１中の広告表示体の他の実施例を示す分解斜視図である。
【発明を実施するための形態】
【００２０】
次に、本発明に係る広告表示体保持具の実施の態様を図１〜図５に示した実施例に基づいて説明する。尚、図中符号１は広告対象体である自動販売機、符号２，３はそれぞれ商品名等の広告を表示した広告表示体、符号４は両広告表示体２，３を自動販売機１に取り付けるための広告表示体保持具である。
【００２１】
両広告表示体２，３は、可撓性を有する合成樹脂フィルムシートＡをもって一体に形成され、シートＡの背面下側に一方の広告表示体２を構成する文字等の表示が、シートＡの前面上側に他方の広告表示体３を構成する文字等の表示がそれぞれ描かれ、そのシートＡの下側が折り目Ａａより前面側に折り返されることにより、一方の広告表示体２が折り目Ａａを介して他方の広告表示体３の下縁に一体に支持された状態で他方の広告表示体３の前面側に配置され、且つ広告表示体２，３に描かれた文字等の表示が前面側に露出するようになっている。
【００２２】
広告表示体保持具４は、ポリカーボネート等の透明な合成樹脂材により一体成形され、自動販売機１に固定される固定部５と、固定部５に支持されて自動販売機１の前面側に配置される平板状の基板部６と、下端を基板部６の下縁部に支持させ基板部６の前面側に膨出した形状の前面表示部７とを備え、一方の広告表示体２が前面表示部７の内側に湾曲した状態で保持され、他方の広告表示体３の下側部が基板部６と前面表示部７との間に保持されるようになっている。
【００２３】
基板部５は、水平方向に長い細長平板状に形成され、固定部５は、基板部６の上縁より鉛直背面側に張り出した板状に形成され、基板部６と断面逆Ｌ字状を成すように形成されている。
【００２４】
この固定部５は、図４に示すように、下面側に粘着テープ８が固着されており、この粘着テープ８により自動販売機１の前面扉上面に固着され、それにより基板部６が自動販売機１の前面扉上端前面側に位置するようになっている。
【００２５】
前面表示部７は、下端を基板部６に支持させた基板部６の前面側に膨出した断面半円弧状に形成され、この半円弧状の背面側に湾曲させた状態で一方の広告表示体２が保持されるようになっている。
【００２６】
また、前面表示部７は、上端縁より下向きに張り出した帯状の押さえ部９を一体に備え、当該押さえ部９が基板部６と間隔を置いて互いに対向するように配置され、基板部６と押さえ部９との間に他方の広告表示体３の下側部が保持される表示体保持部１０が形成されている。
【００２７】
また、押さえ部９の前面側には、湾曲させた一方の広告表示体２の上端縁が当て止めされ、一方の広告表示体２が前面表示部７より抜け出ないようにしている。
【００２８】
更に、前面表示部７の下端底部には、その内外側に貫通した複数の水抜き孔１１，１１...が長手方向に間隔を置いて形成されている。
【００２９】
このように構成された広告表示体保持具４は、固定部５を自動販売機１の上面に固定させることにより基板部６及び前面表示部７が自動販売機１の前面側に配置される。
【００３０】
そして、図４に示すように、一方の広告表示体２を他方の広告表示体３の前面側に折り返して湾曲させた状態で合成樹脂フィルムシートＡを側部の開口より広告表示体保持具４に挿入することにより、一方の広告表示体２を前面表示部７内に保持させるとともに、他方の広告表示体３の下側部を基板部６と前面表示部７との間、即ち表示体保持部１０に保持させるようになっている。
【００３１】
これにより、一方の広告表示体２に記載された事項が透明な前面表示部７を通して立体的に表示され、他方の広告表示体３が広告表示体保持具４上に立ち上がり、それにより他方の広告表示体３の上側部に記載された事項を表示できるようになっている。
【００３２】
その際、一方の広告表示体２は、下縁が他方の広告表示体３に支持され、且つ湾曲させた状態で挿入されたことにより、自身の弾性により前面表示部７の背面に押し付けられ、当該押し付け力、即ち前面表示部７の円弧状半径方向に作用する力により安定した状態で保持され、側部の開口から容易に抜け出ないようになっている。
【００３３】
これにより、一方の広告表示体２と一体に形成された他方の広告表示体３も安定した状態で広告表示体保持具４に保持されるようになっている。また、このように合成樹脂シートＡ全体が安定して広告表示体保持具４に保持されるので、広告表示体保持具４の長手方向を縦向きにし、自動販売機１の側部に取り付けることも可能である。
【００３４】
尚、上述の実施例では、広告表示体保持具４全体を透明なポリカーボネート等の合成樹脂により一体成形した例について説明したが、前面表示部７のみを透明な素材をもって構成し、その他の部分を金属材等により構成してもよい。
【００３５】
また、上述の実施例では、固定部５を基板部６の上縁より背面側に張り出した板状に形成し、該固定部５を粘着テープ８により自動販売機１上面に固着させた例について説明したが、固定部５の態様は上述の実施例に限定されず、例えば、板状の固定部５を粘着テープ８に替えてねじ止めにより固定するようにしてもよく、また、基板部６の背面を固定部として粘着テープにより自動販売機１の前面に固着させるようにしてもよい。
【００３６】
尚、上述の実施例では、両広告表示体２，３を一体に形成した例について説明したが、図５に示すように、広告表示体２，３を別個に形成するようにしても良く、その際には、各広告表示体２，３がそれぞれ独立しているので、必要に応じて広告表示体２，３毎に他の広告表示体に交換することができる。
【００３７】
また、各広告表示体の材質は、合成樹脂フィルムに限定されず、紙材その他の材質であってもよい。
【００３８】
尚、広告対象体は、自動販売機に限定されず、例えば、コンビニエンスストアや書店の陳列棚等であってもよい。
【符号の説明】
【００３９】
１  自動販売機（広告対象体）
２  広告表示体
３  広告表示体
４  広告表示体保持具
５  固定部
６  基板部
７  前面表示部
８  粘着テープ
９  押さえ部
１０  表示体保持部
１１  水抜き孔
【図１】
2014032341.tif 000003
【図２】
2014032341.tif 000004
【図３】
2014032341.tif 000005
【図４】
2014032341.tif 000006
【図５】
2014032341.tif 000007